(57)【要約】【課題】車体共振に起因するインバーターの過電流を防止する。【解決手段】走行用モーターの回転角を検出し、インバーターによりモータートルク指令値とモーター回転角に応じた電流をモーターへ供給して駆動する車両用モーター制御装置において、モーター回転角に基づいてモーターの回転速度変化量を検出するとともに、回転速度変化量に基づいて車体共振発生の有無を判定し、車体共振が発生していると判定されるとモータートルク指令値を低減する。【選択図】図８
2008072868.tif 000002
【特許請求の範囲】
【請求項１】
走行用モーターの回転角を検出する回転角検出手段と、
モータートルク指令値と前記回転角に応じた電流を前記モーターへ供給して駆動するインバーターと、
前記回転角に基づいて前記モーターの回転速度変化量を検出する回転速度変化量検出手段と、
前記回転速度変化量に基づいて車体共振発生の有無を判定する共振判定手段と、
車体共振が発生していると判定されると前記モータートルク指令値を低減するトルク低減手段とを備えることを特徴とする車両用モーター制御装置。
【請求項２】
請求項１に記載の車両用モーター制御装置において、
前記インバーターは、前記モーターの高速領域では矩形波制御モードで前記モーターを運転し、
前記トルク低減手段は、車体共振が発生していると判定されると、前記インバーターの運転領域が前記矩形波制御モードの運転領域に入らないように前記モータートルク指令値を低減することを特徴とする車両用モーター制御装置。
【請求項３】
請求項１に記載の車両用モーター制御装置において、
前記インバーターは、前記モーターの回転速度に応じてキャリアー周波数を可変とし、
前記トルク低減手段は、車体共振発生時の前記インバーターのキャリア周波数に応じて前記モータートルク指令値の低減量を決定することを特徴とする車両用モーター制御装置。
【請求項４】
請求項１に記載の車両用モーター制御装置において、
前記インバーターは、少なくとも正弦波ＰＷＭ制御モードと矩形波制御モードを含む複数の制御モードを切り替えて前記モーターを駆動し、
前記トルク低減手段は、車体共振発生時の前記インバーターの制御モードに応じて前記モータートルク指令値の低減量を決定することを特徴とする車両用モーター制御装置。
【請求項５】
請求項１に記載の車両用モーター制御装置において、
前記トルク低減手段は、車体共振発生時の前記モーターの回転速度変化量に応じて前記モータートルク指令値の低減量を決定することを特徴とする車両用モーター制御装置。
【請求項６】
請求項１に記載の車両用モーター制御装置において、
前記トルク低減手段は、車体共振発生の継続時間が長いほど前記モータートルク指令値の低減量を多くすることを特徴とする車両用モーター制御装置。
【請求項７】
請求項６に記載の車両用モーター制御装置において、
前記インバーターは、前記モーターの回転速度が高くなるにしたがって正弦波ＰＷＭ制御モード、過変調ＰＷＭ制御モード、矩形波制御モードの順に切り替えて前記モーターを駆動し、
前記トルク低減手段は、車体共振発生時の前記インバーターの制御モードが前記矩形波制御モードおよび前記過変調ＰＷＭ制御モードの場合には、車体共振発生の継続時間が短くても前記モータートルク指令値の低減量を多くすることを特徴とする車両用モーター制御装置。
【請求項８】
請求項６に記載の車両用モーター制御装置において、
前記インバーターは、前記モーターの回転速度が高くなるほどキャリア周波数を高くし、
前記トルク低減手段は、車体共振発生の継続時間が短くても前記インバーターのキャリア周波数が高いほど前記モータートルク指令値の低減量を多くすることを特徴とする車両用モーター制御装置。
【請求項９】
請求項１に記載の車両用モーター制御装置において、
前記回転速度変化量検出手段は、前記回転角検出手段による前記モーターの回転角検出値に所定の周波数特性を有するバンドパスフィルター処理を施し、フィルター処理後の回転角に基づいて前記モーターの回転速度変化量を検出することを特徴とする車両用モーター制御装置。
【発明の詳細な説明】
【技術分野】
【０００１】
本発明は、車両の走行用モーターを制御する車両用モーター制御装置に関する。
【背景技術】
【０００２】
モーターのステーターに対するローターの回転角度（位置）を回転角センサーにより検出し、回転角度に応じてインバーターからモーターへ流れる電流を制御するようにした車両用モーター制御装置が知られている（例えば、特許文献１参照）。
この装置では、モーターの回転速度と出力トルクとに応じて、モーターへの供給電力の電圧波形を正弦波ＰＷＭ制御モードと矩形波制御モードとの間で切り換えており、モーターが低速で高トルクの運転領域にあるときは正弦波ＰＷＭ制御モードとし、高速の運転領域にあるときは矩形波制御モードとしている。
【０００３】
この出願の発明に関連する先行技術文献としては次のものがある。
【特許文献１】特開平１１−２８５２８８号公報
【発明の開示】
【発明が解決しようとする課題】
【０００４】
しかしながら、上述した従来の車両用モーター制御装置では、波状路走行時にトランスアクスルに共振による大きな振動が発生すると、その振動の振幅と周波数が大きいほど走行用モーターの回転速度変化量が大きくなり、回転角センサーにより検出したモーター回転角度に応じてインバーターからモーターへ流す電流制御が正常に行われず、過電流が流れるという問題がある。
【課題を解決するための手段】
【０００５】
走行用モーターの回転角を検出し、インバーターによりモータートルク指令値とモーター回転角に応じた電流をモーターへ供給して駆動する車両用モーター制御装置において、モーター回転角に基づいてモーターの回転速度変化量を検出するとともに、回転速度変化量に基づいて車体共振発生の有無を判定し、車体共振が発生していると判定されるとモータートルク指令値を低減する。
【発明の効果】
【０００６】
本発明によれば、車体共振に起因するインバーターの過電流を防止することができる。
【発明を実施するための最良の形態】
【０００７】
本願発明の車両用モーター制御装置をエンジン、モーターおよびジェネレーターを備えたパラレル・ハイブリッド車両ＰＨＥＶに適用した一実施の形態を説明する。なお、本願発明の車両用モーター制御装置はパラレル・ハイブリッド車両に限定されず、例えば純電気自動車ＥＶ、シリーズ・ハイブリッド車両ＳＨＥＶ、エンジンとモーターのみを備えたパラレル・ハイブリッド車両、燃料電池車両ＦＣＶにも適用することができる。
【０００８】
図１は一実施の形態の構成を示す図である。モーター１、ジェネレーター２およびエンジン３の各出力軸はトランスアクスル４に連結されており、モーター１、ジェネレーター２およびエンジン３のいずれか１つまたは複数の駆動力によりトランスアクスル４を介して車輪５を走行駆動する。モーター１とジェネレーター２にはそれぞれ回転角センサー６、７が連結されており、モーター１とジェネレーター２のローター（不図示）の回転角度（回転位置）を検出する。回転角センサー６、７にはレゾルバーやパルスジェネレーターなどを用いることができる。なお、回転角センサー６、７の回転角度を積分することによってモーター１とジェネレーター２の回転速度（毎分回転数；以下では単に回転数という）［ｒ／ｍ］を求めることができる。
【０００９】
モーター１とジェネレーター２はそれぞれインバーター８、９により駆動される。インバーター８、９はＰＷＭ制御または矩形波制御によりバッテリー１０の直流電力を交流電力に変換する。インバーター８、９はまた、モーター１とジェネレーター２により発電された交流電力を直流電力に変換してバッテリー１０を充電する。モーターコントローラー１０はマイクロコンピューターを備え、車両コントローラー１１からのモータートルク指令値Ｔｍ＊と回転角センサー６、７により検出したモーター回転角θｍおよびジェネレーター回転角θｇとに基づいて回転角θｍ、θｇに応じた電流指令値Ｉｍ＊、Ｉｇ＊を演算し、インバーター８、９を制御する。
【００１０】
車両コントローラー１１はマイクロコンピューターを備え、車速センサー１２により検出した車速Ｖｓ、アクセルセンサー１３により検出したアクセルペダル（不図示）の踏み込み量Ａccとに基づいてユーザー要求トルク指令値Ｔ＊を求め、走行駆動力を得るためのエンジントルク指令値Ｔe＊とモータートルク指令値Ｔｍ＊とに分配する。なお、車両コントローラー１１には共振継続時間に対するトルク制限率マップ（詳細後述）などを記憶するメモリ１４が接続される。エンジンコントローラー１５は、エンジン３の出力トルクがエンジントルク指令値Ｔｅ＊に一致するようにスロットルバルブ開度θｖを制御する。
【００１１】
車両コントローラー１１、モーターコントローラー１０およびエンジンコントローラー１５は通信回線を介して互いに情報の授受を行い、互いに情報を共有する。
【００１２】
なお、シリーズ・ハイブリッド車両ＳＨＥＶでは、エンジンとジェネレーターが連結され、モーターのみがトランスアクスルに連結される。そして、エンジンでジェネレーターを駆動して発電し、発電電力をインバーターを介してモーターへ供給する。また、燃料電池車両ＦＣＶでは、図１の構成に加え、燃料電池スタック（不図示）がバッテリーに接続されている。
【００１３】
図２〜図３は、一実施の形態の車体共振発生時のトルク制限プログラムを示すフローチャートである。このフローチャートにより、一実施の形態の動作を説明する。車両コントローラー１１のマイクロコンピューターは、所定時間ごとにこのトルク制限プログラムを実行する。
【００１４】
ステップ１においてモーターコントローラー１０を介して入力したモーター回転角センサー６の出力にバンドパスフィルター処理を施し、車体共振が発生する特定の周波数領域、例えば８〜１５Ｈｚの回転数変化量（回転速度変化量）を検出する。通常、波状路を走行するとモーター１に回転数変化が生じるが、車体共振によるトランスアクスル４の振動によるモーター回転数変化量の方がはるかに大きく、上述したように、回転角センサー６により検出したモーター回転角度に応じてインバーター８からモーター１へ流す電流制御が正常に行われず（インバーターフェールという）、過電流が流れる。なお、ジェネレーター２においても同様な問題が発生するが、ここではモーター１の場合を代表して説明する。また、エンジン３がトランスアクスル４に連結されているハイブリッド車両では、エンジン３の失火等による回転変動があるとトランスアクスル４が振動し、インバーターフェールが発生する。
【００１５】
車体共振によりモーター回転数変化量が増大すると上述したインバーターフェールが発生するが、モーターに正弦波ＰＷＭの電圧を印加して駆動する正弦波ＰＷＭ制御モード時よりも、モーターに矩形波電圧を印加して駆動する矩形波制御モード時の方が発生確率が高くなる。これは、ＰＷＭ制御により短時間間隔でスイッチングを行う正弦波ＰＷＭ制御モードの方が、モーター回転数変化量の増大によりモーター回転角度に応じた電流制御に失敗しても、すぐに復旧して過電流に至るのを防止できる可能性が高いからである。なお、上述したように、モーターが低速で高トルクの運転領域にあるときは正弦波ＰＷＭ制御モードで運転を行い、高速の運転領域にあるときは矩形波制御モードで運転を行う。
【００１６】
この一実施の形態では、モーター回転数変化量に基づいて車体共振を検出し、共振の継続時間に応じてモータートルク指令値Ｔｍ＊とユーザー要求トルク指令値Ｔ＊を制限する。共振継続時間は共振継続カウンターを用いて計時するが、矩形波制御モードで運転している場合、もしくは矩形波制御モードに近い運転状態にある場合には、上記インバーターフェールを発生する確率が高いから、共振継続カウンターのカウントアップ量を多くして早くトルク制限を実施する。また、共振によるモーター回転数変化量が大きいほどインバーターフェールを発生する確率が高いから、共振継続カウンターのカウントアップ量を多くして早くかつ大きなトルク制限を実施する。
【００１７】
ステップ２〜９において矩形波制御モードで運転している場合、または矩形波制御モードに近い運転状態にある場合には、大きなカウントアップ量を設定する。まず、インバーター８のキャリア周波数に応じてカウントアップ量ＣＵ１を設定する。この一実施の形態では、モーターの回転数（回転速度）とトルクに応じて３段階にキャリア周波数を変える。すなわち、低速で高トルクの運転を行う場合は、インバーター８およびモーター１の発熱を抑制するために、キャリア周波数を低い１．２５ｋＨｚとする。一方、高速で低トルクの運転を行う場合は、耳障りな低周波数での運転を避けるためにキャリア周波数を５ｋＨｚと高くする。さらに、中速で中トルクの運転を行う場合は、キャリア周波数を中間的な２．５ｋＨｚとする。
【００１８】
キャリア周波数が高いほどモーター回転数（回転速度）が高い状態にあり、モーター回転数が高い場合は矩形波制御モードで運転することになるので、キャリア周波数が高いほど矩形波制御モードで運転される可能性が高い。したがって、キャリア周波数が高いほどインバーターフェールが発生する可能性が高くなる。そこで、キャリア周波数が高いほど共振継続カウンターのカウントアップ量を多くして早くかつ大きくトルク制限を行い、インバーターフェールの発生を防止する。
【００１９】
ステップ２においてインバーター８の現在のキャリア周波数を確認する。キャリア周波数が高い場合（ここでは５ｋＨｚ）はステップ３へ進み、カウントアップ量ＣＵ１に５を設定する。また、キャリア周波数が中位の場合（ここでは２．５ｋＨｚ）はステップ４へ進み、カウントアップ量ＣＵ１に３を設定する。さらに、キャリア周波数が低い場合（ここでは１．２５ｋＨｚ）はステップ５へ進み、カウントアップ量ＣＵ１に１を設定する。
【００２０】
次に、モーター１の現在の制御モードに応じてカウントアップ量ＣＵ２を設定する。この一実施の形態では、図４に示すように、モーター１の回転数（回転速度）とトルクに応じて３種類の制御モードを設定する。領域(ａ)は、モーター１に正弦波ＰＷＭの電圧を印加して駆動する正弦波ＰＷＭ制御モードの運転領域である。領域(ｃ)は、モーターに矩形波電圧を印加して駆動する矩形波制御モードの運転領域である。また、正弦波ＰＷＭ制御モードと矩形波制御モードの間の中間領域(ｂ)は過変調ＰＷＭ制御モードであり、正弦波ＰＷＭ波形の一部を矩形波とする運転領域である。正弦波ＰＷＭ制御、過変調ＰＷＭ制御、矩形波制御の順に少ないスイッチング回数で大電流を流すことができる。
【００２１】
正弦波ＰＷＭ制御、過変調ＰＷＭ制御、矩形波制御の順にスイッチング回数が少なくなるので、モーター回転数変化量の増大によりモーター回転角度に応じた電流制御に失敗すると、すぐに復旧して過電流に至るのを防止できる可能性が低くなる。つまり、正弦波ＰＷＭ制御、過変調ＰＷＭ制御、矩形波制御の順にインバーターフェールの発生確率が高くなる。そこで、正弦波ＰＷＭ制御、過変調ＰＷＭ制御、矩形波制御の順に共振継続カウンターのカウントアップ量を多くし、早くかつ大きくトルク制限を行ってインバーターフェールの発生を防止する。
【００２２】
ステップ６で現在のモーター制御モードを確認する。矩形波制御モードで運転されている場合はステップ７へ進み、カウントアップ量ＣＵ２に６を設定する。また、過変調ＰＷＭ制御モードで運転されている場合はステップ８へ進み、カウントアップ量ＣＵ２に４を設定する。さらに、正弦波ＰＷＭ制御モードで運転されている場合はステップ９へ進み、カウントアップ量ＣＵ２に２を設定する。
【００２３】
ステップ１０〜１２では、共振によるモーター回転数変化量に基づいて共振継続カウンターのカウントアップ量ＣＵ３を設定する。ステップ１０でモーター回転数変化量が予め設定したしきい値Δ１より大きいか否かを判別し、しきい値Δ１を超えている場合はステップ１１へ進み、インバーターフェールを発生する確率が高いからカウントアップ量ＣＵ３に大きな値７を設定する。一方、しきい値Δ１を超えていない場合はステップ１２へ進み、カウントアップ量ＣＵ３に０を設定する。なお、しきい値Δ１には、速やかにトルク制限を実行する必要があるモーター回転数変化量を設定する。
【００２４】
以上ではキャリアー周波数、モーター制御モードおよびモーター回転数変化量の各パラメーターに基づいて、それぞれ共振継続カウンターのカウントアップ量ＣＵ１、ＣＵ２およびＣＵ３を設定したが、インバーターフェールを発生する確率はキャリアー周波数、モーター制御モード、モーター回転数変化量の順に高くなるので、インバーターフェールの発生確率が高いパラメーターには大きなカウントアップ量を設定している。
【００２５】
キャリアー周波数、モーター制御モードおよびモーター回転数変化量に基づいて共振継続カウンターのカウントアップ量ＣＵ１、ＣＵ２、ＣＵ３を設定した後、ステップ１３へ進み、設定したカウントアップ量ＣＵ１、ＣＵ２、ＣＵ３の中の最大値を最終的なカウントアップ量ＣＵとする。
【００２６】
ステップ１４において、モーター回転数変化量が予め設定したしきい値Δ２を超えているか否かを判別する。ここで、しきい値Δ２は、車体共振が発生しているか否かを判定するためのしきい値であり、車種ごとに実機テストを行って最適値を設定する。モーター回転数変化量が共振判定しきい値Δ２を超えている場合はステップ１５へ進み、共振継続カウンターをカウントアップ量ＣＵだけインクリメントする。一方、モーター回転数変化量が共振判定しきい値Δ２を超えていない場合はステップ１６へ進み、共振継続カウンターを所定のカウントダウン量Ｃ０だけデクリメントする。なお、カウントアップ量ＣＵ１、ＣＵ２、ＣＵ３およびカウントダウン量Ｃ０には、インバーターフェールを確実に回避できるような最適値を実機テストあるいはシュミレーションにより設定する。
【００２７】
ステップ１７において共振継続カウンターの値に応じてモータートルク制限率を設定し、続くステップ１８では共振継続カウンターの値に応じてユーザー要求トルク制限率を設定する。ここで、共振継続カウンター値に対するモータートルク制限率とユーザー要求トルク制限率は、図５に示すように、共振継続カウンター値が大きいほどトルク制限率を小さくする。この一実施の形態では、トルクを制限しないときの制限率を１００％とし、トルクを０に制限するときの制限率を０％としてトルク制限率を定義する。モータートルクの制限率は、モーター１の運転領域が図４に示す矩形波制御領域(ｃ)に入らないような値に設定する。なお、モータートルク制限率とユーザー要求トルク制限率は、それぞれ別個のマップデータとして予めメモリ１４に記憶される。
【００２８】
ユーザー要求トルク制限率は、車速Ｖｓとアクセルペダルの踏み込み量Ａccに基づいて決定したユーザー要求トルク指令値Ｔ＊を制限するためのものである。インバーターフェールを防止するためには共振発生時にモータートルク指令値Ｔｍ＊を制限すればよいが、ジェネレーター２で発電した電力をモーター１へ供給して運転しているときに、モータートルク指令値Ｔｍ＊のみを制限すると、ジェネレーター２の発電電力がバッテリー１０へ供給されてバッテリー１０が過充電になったり、あるいはインバーター８、９とバッテリー１０との間のＤＣリンク電圧が過電圧になるおそれがある。そこで、この一実施の形態では、共振発生時にモータートルク指令値Ｔｍ＊を制限すると同時にユーザー要求トルク指令値Ｔ＊を制限し、バッテリー１０の過充電やＤＣリンク電圧の過電圧を防止する。
【００２９】
次に、ステップ１９で、図６に示すように、モーター１の最大定格トルク（実線で示す）に上述したモータートルク制限率を乗じてモータートルク制限値（破線で示す）を設定する。続くステップ２０で、図７に示すように、ユーザー要求最大トルク（実線で示す）に上述したユーザー要求トルク制限率を乗じてユーザー要求トルク制限値（破線で示す）を設定する。
【００３０】
ステップ２１において、モータートルク指令値Ｔｍ＊が現在のモーター回転数に対応する上記モータートルク制限値以下になるように制御する。続くステップ２２では、ユーザー要求トルク指令値Ｔ＊が現在の車速に対応する上記ユーザー要求トルク制限値以下となるように、モータートルク指令値値Ｔｍ＊とエンジントルク指令値Ｔｅ＊を制御する。
【００３１】
図８は、一実施の形態の車両用モーター制御装置による共振発生時のトルク制限結果を示す図である。モーター回転数にバンドパスフィルター処理を施して算出したモーター回転数変化量がしきい値Δ２を超え、車体共振の発生が検出されると、共振継続カウンター値が共振継続時間が長くなるにつれて増加し、モータートルク指令値Ｔｍ＊とユーザー要求トルク指令値Ｔ＊の制限率が低下し、モータートルク指令値Ｔｍ＊とユーザー要求トルク指令値Ｔ＊が低下していく。これにより、車両共振領域においてモーターが矩形波制御モードで運転されることがなくなり（図中の破線円参照）、インバーターフェールが発生せず、モーターの運転が継続される。そして、車両共振が収まると共振継続カウンター値が減少し、モータートルク指令値Ｔｍ＊およびユーザー要求トルク指令値Ｔ＊の制限率が増加し、モータートルク指令値Ｔｍ＊とユーザー要求トルク指令値Ｔ＊が増加する。
【００３２】
このように、一実施の形態によれば、走行駆動用モーターの回転角を検出し、インバーターによりモータートルク指令値とモーター回転角に応じた電流をモーターへ供給して駆動する車両用モーター制御装置において、モーター回転角に基づいてモーターの回転速度変化量を検出するとともに、モーター回転速度変化量に基づいて車体共振発生の有無を判定し、車体共振が発生していると判定されるとモータートルク指令値を低減するようにしたので、誤った電流指令によりインバーターに過電流が発生してインバーターフェールになるのを防止することができる。
【００３３】
また、一実施の形態によれば、車体共振が発生していると判定されると、インバーターの運転領域が矩形波制御モードの運転領域に入らないようにモータートルク指令値を低減するようにした。誤った電流指令によりインバーターに過電流が流れるインバーターフェールは、矩形波制御モードでモーターを運転しているときに発生する確率が高いことから、車体共振発生時に矩形波制御モードの運転領域に入らないようにすることによって、インバーターフェールの発生を抑制できる上に、無用にモータートルク指令値を低減してドライバビリティが悪化するのを避けることができる。
【００３４】
一実施の形態によれば、車体共振発生時のインバーターのキャリア周波数に応じてモータートルク指令値の低減量を決定するようにした。キャリア周波数が高いほどインバーターフェールの発生確率が高くなるので、車体共振発生時にインバーターフェールの発生確率の高い運転領域から効果的に脱することができ、インバーターフェールの発生を抑制できる上に、無用にモータートルク指令値を低減してドライバビリティが悪化するのを避けることができる。
【００３５】
一実施の形態によれば、車体共振発生時のインバーターの制御モードに応じてモータートルク指令値の低減量を決定するようにした。正弦波ＰＷＭ制御モード、過変調ＰＷＭ制御モード、矩形波制御モードの順にインバーターフェールの発生確率が高くなるので、車体共振発生時にインバーターフェールの発生確率の高い制御モードから効果的に脱することができ、インバーターフェールの発生を抑制できる上に、無用にモータートルク指令値を低減してドライバビリティが悪化するのを避けることができる。
【００３６】
一実施の形態によれば、車体共振発生時のモーター回転速度変化量に応じてモータートルク指令値の低減量を決定するようにした。モーター回転速度変化量が大きいほどインバーターフェールの発生確率が高くなるので、車体共振発生時にインバーターフェールの発生確率の高いモーターの運転領域から効果的に脱することができ、インバーターフェールの発生を抑制できる上に、無用にモータートルク指令値を低減してドライバビリティが悪化するのを避けることができる。
【００３７】
一実施の形態によれば、車体共振発生の継続時間が長いほどモータートルク指令値の低減量を多くするようにした。車体共振にともなうモーター回転速度変化量が小さくても、その継続時間が長いほどインバーターフェールの発生確率が高くなるから、インバーターフェールの発生を抑制できる。
【００３８】
一実施の形態によれば、車体共振発生時のインバーターの制御モードが矩形波制御モードおよび過変調ＰＷＭ制御モードの場合には、車体共振発生の継続時間が短くてもモータートルク指令値の低減量を多くするようにしたので、インバーターフェールの発生確率が高い矩形波制御モードおよび過変調ＰＷＭ制御モードにおいて早めにモータートルク指令値を低減することができ、インバーターフェールの発生を確実に抑制できる上に、無用にモータートルク指令値を低減してドライバビリティが悪化するのを避けることができる。
【００３９】
一実施の形態によれば、車体共振発生の継続時間が短くてもインバーターのキャリア周波数が高いほどモータートルク指令値の低減量を多くするようにしたので、インバーターフェールの発生確率の高い高キャリア周波数の運転状態において早めにモータートルク指令値を低減することができ、インバーターフェールの発生を確実に抑制できる上に、無用にモータートルク指令値を低減してドライバビリティが悪化するのを避けることができる。
【００４０】
一実施の形態によれば、回転角センサーによるモーター回転角検出値に所定の周波数特性を有するバンドパスフィルター処理を施し、フィルター処理後の回転角に基づいてモーターの回転速度変化量を検出するようにしたので、車体共振を確実に検出することができる。
【００４１】
特許請求の範囲の構成要素と一実施の形態の構成要素との対応関係は次の通りである。すなわち、モーター１およびジェネレーター２がモーターを、回転角センサー６、７が回転角検出手段を、インバーター８、９がインバーターを、車両コントローラー１１が回転速度変化量検出手段、共振判定手段およびトルク低減手段をそれぞれ構成する。なお、以上の説明はあくまで一例であり、発明を解釈する際、上記の実施の形態の記載事項と特許請求の範囲の記載事項との対応関係になんら限定も拘束もされない。
【００４２】
なお、上述した一実施の形態ではインバーターの制御モードとして正弦波ＰＷＭ制御モード、過変調ＰＷＭ制御モード、矩形波制御モードを例に上げて説明したが、制御モードは一実施の形態の制御モードに限定されるものではない。また、キャリア周波数、制御モードおよびモーター回転速度変化量に応じた共振継続カウンターのカウントアップ量は上述した一実施の形態の数値に限定されるものではない。
【図面の簡単な説明】
【００４３】
【図１】一実施の形態の構成を示す図
【図２】一実施の形態の車体共振発生時のトルク制限プログラムを示すフローチャート
【図３】図２に続く、一実施の形態の車体共振発生時のトルク制限プログラムを示すフローチャート
【図４】モーター制御モードを示す図
【図５】共振継続時間に対するモータートルクの制限率を示す図
【図６】モータートルク制限値を示す図
【図７】ユーザー要求トルク制限値を示す図
【図８】一実施の形態の共振発生時のトルク制限結果を示す図
【符号の説明】
【００４４】
１  モーター
２  ジェネレーター
６、７  回転角センサー
８、９  インバーター
１１  車両コントローラー
【図１】
2008072868.tif 000003
【図２】
2008072868.tif 000004
【図３】
2008072868.tif 000005
【図４】
2008072868.tif 000006
【図５】
2008072868.tif 000007
【図６】
2008072868.tif 000008
【図７】
2008072868.tif 000009
【図８】
2008072868.tif 000010